(57)【要約】【課題】簡素な構成で、ガスの流量を高精度に計測することができるガスメータを提供する。【解決手段】ガス流入口２１から筐体１１内に流入したガスの流量を計測するガスメータ１であって、ガス流入口２１と連通し、筐体１１の内部空間となるガス室１３と、ガス室１３から流入したガスの流量を計測する流量計測装置２３と、ガス流入口２１を閉鎖して、ガス流入口２１からガス室１３へのガスの流入を遮断する遮断弁２５と、ガス室１３内に配置され、遮断弁２５を開閉させる防爆型モータ２６とを備える。【選択図】図１
2019124653.tif 000002
【特許請求の範囲】
【請求項１】
ガス流入口から筐体内に流入したガスの流量を計測するガスメータであって、
前記ガス流入口と連通し、前記筐体の内部空間となるガス室と、
前記ガス室から流入したガスの流量を計測する流量計測手段と、
前記ガス流入口を閉鎖して、前記ガス流入口から前記ガス室へのガスの流入を遮断する遮断弁と、
前記ガス室内に配置され、前記遮断弁を開閉させる防爆型モータとを備える
ことを特徴とするガスメータ。
【発明の詳細な説明】
【技術分野】
【０００１】
この発明は、ガスの流量を計測するガスメータに関する。
【背景技術】
【０００２】
通常、ガスメータには、ガス供給源に接続されるガス流入口と、燃焼器等のガス装置に接続されるガス流出口とが設けられてる。これにより、ガスメータにおいては、ガス流入口から流入したガスを、当該ガス流入口からガス流出口に至る一連のガス流路内に通過させる過程において、その流量を計測可能としている。
【０００３】
そして、上述したような、従来のガスメータとしては、例えば、特許文献１に開示されている。
【先行技術文献】
【特許文献】
【０００４】
【特許文献１】特許第５３６９９４０号公報
【発明の概要】
【発明が解決しようとする課題】
【０００５】
上記従来のガスメータにおけるガス流路は、ガスの流量を計測する流量計測装置、ガス流入口と流量計測装置の上流側とを接続する供給流路、及び、ガス流出口と流量計測装置の下流側とを接続する排出流路から構成されている。
【０００６】
しかしながら、上記従来のガスメータにおいては、供給流路と流量計測装置とが互いに直交するように接続されているため、供給流路を流れるガスは、流量計測装置の直前で、流れ方向が急激に変化する。この結果、流量計測装置に供給されたガスの流れには、渦流及び乱流が発生し易くなり、ガス流量の計測精度の低下を招くおそれがある。
【０００７】
この発明は、上記課題を解決するものであって、簡素な構成で、ガスの流量を高精度に計測することができるガスメータを提供することを目的とする。
【課題を解決するための手段】
【０００８】
この発明に係るガスメータは、ガス流入口から筐体内に流入したガスの流量を計測するガスメータであって、ガス流入口と連通し、筐体の内部空間となるガス室と、ガス室から流入したガスの流量を計測する流量計測手段と、ガス流入口を閉鎖して、ガス流入口からガス室へのガスの流入を遮断する遮断弁と、ガス室内に配置され、遮断弁を開閉させる防爆型モータとを備えるものである。
【発明の効果】
【０００９】
この発明によれば、簡素な構成で、ガスの流量を高精度に計測することができる。
【図面の簡単な説明】
【００１０】
【図１】この発明の実施の形態１に係るガスメータの前方斜視図である。
【図２】この発明の実施の形態１に係るガスメータの正面図である。
【図３】図２のIII−III矢視断面図である。
【図４】図３の要部拡大断面図である。
【発明を実施するための形態】
【００１１】
以下、この発明の実施の形態について図面を参照しながら詳細に説明する。
【００１２】
実施の形態１．
図１は、この発明の実施の形態１に係るガスメータの前方斜視図である。図２は、この発明の実施の形態１に係るガスメータの正面図である。図３は、図２のIII−III矢視断面図である。図４は、図３の要部拡大断面図である。なお、図１から図４に示した矢印は、ガスの流れを表している。
【００１３】
図１から図３に示すように、超音波式のガスメータ１は、筐体１１及び蓋部材１２を備えている。筐体１１及び蓋部材１２は、ガスメータ１の本体を構成するものである。筐体１１は、ガスメータ１の背面側に配置されており、蓋部材１２は、ガスメータ１の正面側に配置されている。
【００１４】
筐体１１は、開口部１１ａを有しており、この開口部１１ａは、正面側に向けて開口している。蓋部材１２は、その開口部１１ａを塞ぐように、筐体１１に嵌め込まれている。このとき、筐体１１と蓋部材１２との間には、シール部材（図示省略）が介在されており、このシール部材は、それらの間の隙間を密閉している。このように、ガスメータ１は、筐体１１と蓋部材１２とを嵌め合わせた中空構造となっており、その内部空間となる密閉空間を、計測対象となるガスが充満するガス室１３としている。
【００１５】
筐体１１の内部には、ガス流入口２１、ガス流出口２２、流量計測装置２３、連通部材２４、遮断弁２５、及び、防爆型モータ２６が収納されている。
【００１６】
ガス流入口２１及びガス流出口２２は、筒状をなしており、筐体１１の上部を貫通して、当該筐体１１の上面から外側に向けて突出している。ガス流入口２１は、ガス供給源から供給されたガスを、ガス室１３に流入させるものである。ガス流出口２２は、流量計測装置２３によって流量が計測されたガスを、燃焼器等のガス装置に向けて流出させるものである。
【００１７】
図１から図４に示すように、ガス流入口２１は、その内部にガス流入通路２１ａを有している。ガス流入通路２１ａの下流側開口端部２１ｂは、ガスメータ１の背面側上方に向けて開口しており、ガス室１３と連通している。つまり、ガス流入口２１に供給されたガスは、ガス流入通路２１ａを通過して、その下流側開口端部２１ｂから、ガス室１３の背面側上方に向けて流入する。
【００１８】
図１から図３に示すように、流量計測装置２３は、流量計測手段となるものであって、ガス室１３から流入したガスの流量を計測するものである。この流量計測装置２３は、筒状をなしており、その内部に計測用流路２３ａを有している。計測用流路２３ａの上流側開口端部２３ｂは、ガス室１３と連通する一方、計測用流路２３ａの下流側開口端部２３ｃは、連通部材２４と連通している。
【００１９】
また、計測用流路２３ａ内には、複数の整流板２３ｄが設けられている。これらの整流板２３ｄは、ガス流れ方向に沿って延びており、計測用流路２３ａの幅方向において、重なるように並んでいる。更に、流量計測装置２３内には、超音波の送受信を可能とする一対の超音波センサ２３ｅが設けられている。この一対の超音波センサ２３ｅは、計測用流路２３ａを臨んでおり、ガス流れ方向上流側及び下流側にそれぞれ設けられている。
【００２０】
そして、流量計測装置２３は、ガス室１３から流入したガスが計測用流路２３ａ内を通過する過程において、一対の超音波センサ間における超音波の伝播時間に基づいて、ガスの流量を計測し、その積算流量を出力する。
【００２１】
つまり、ガスメータ１は、ガス流入口２１から流入したガスを、計測用流路２３ａ内に直接導入するのではなく、ガス室１３に一旦充満させた後、計測用流路２３ａ内に導入する。これにより、ガス室１３から流量計測装置２３に導入されたガスの流れは、ガス流入口２１から流量計測装置２３に直接導入されたガスの流れと比べて、急激な方向変化が無いため、乱れが少ない流れとなる。従って、流量計測装置２３は、ガスの流量を高精度に計測することができる。
【００２２】
図１及び図２に示すように、連通部材２４は、筒状をなす蛇腹部材となっており、計測用流路２３ａの下流側開口端部２３ｃとガス流出口２２とを連通するものである。つまり、連通部材２４は、流量計測装置２３の下流側開口端部２３ｃとガス流出口２２の上流側開口端部との間における位置ずれを、蛇腹の伸縮によって吸収しつつ、それらを連通させることができる。
【００２３】
図１から図４に示すように、遮断弁２５及び防爆型モータ２６は、ガス流入口２１のガス流入通路２１ａにおける下流側に設けられている。遮断弁２５は、ガス流入通路２１ａ内に配置されており、その下流側開口端部２１ｂをガス流入通路２１ａの内側から開閉するものである。防爆型モータ２６は、ガス流入通路２１ａの外側、即ち、ガス流入口２１の外面に設けられており、下流側開口端部２１ｂに対して、遮断弁２５を前進または後退させて、当該遮断弁２５を開閉動作させるものである
【００２４】
つまり、防爆型モータ２６は、ガスが充満するガス室１３内に配置されているため、可燃性ガス及び引火性蒸気等の危険ガス雰囲気中で使用しても、引火、発火、及び、爆発等が起こらないモータとなっている。これにより、防爆型モータ２６は、その内部にガス及び埃等が侵入しない密閉構造となっている。
【００２５】
例えば、遮断弁２５は、ガスの異常使用時及び地震発生時等の緊急時において、防爆型モータ２６の正回転駆動によって前進して、ガス流入口２１の下流側開口端部２１ｂを閉鎖する。これにより、ガス流入口２１からガス室１３へのガスの流入は、遮断される。また、遮断弁２５は、ガスメータ１の通常使用時、即ち、流量計測時において、防爆型モータ２６の逆回転駆動によって後退して、ガス流入口２１の下流側開口端部２１ｂを開放する。これにより、ガス流入口２１からガス室１３へのガスの流入は、開放される。
【００２６】
従って、ガスメータ１を用いてガスの流量を計測する場合には、先ず、ガス供給源から供給されたガスは、ガス流入口２１からガス室１３に一旦流入する。次いで、ガス室１３に流入したガスは、流量計測装置２３の計測用流路２３ａ内に導入される。これにより、流量計測装置２３は、計測用流路２３ａを通過するガスの流量を、超音波を用いて計測する。そして、流量計測装置２３によって流量が計測されたガスは、連通部材２４を通過して、ガス流出口２２からガス装置に向けて流出する。
【００２７】
また、ガスメータ１においては、ガス流入口２１と流量計測装置２３とを連通する流路を廃止して、供給されたガスを、ガス流入口２１からガス室１３に流入させた後、当該ガス室１３から流量計測装置２３に導入している。これにより、ガスメータ１は、ガスの流量計測装置２３への導入時における急激な方向変化を防止することができるため、流量計測装置２３によるガス流量の計測精度を向上させることができる。
【００２８】
更に、ガスメータ１においては、ガス流入口２１と流量計測装置２３とを連通する流路を廃止すると共に、遮断弁２５を開閉させるモータを、防爆型モータ２６とすることにより、ガスメータ１の構成を簡素にすることができる。
【００２９】
つまり、ガス流入口２１と流量計測装置２３とを連通する流路を廃止することにより、筐体１１と蓋部材１２とによって形成される内部空間は、ガスで満たされるガス室１３となる。このとき、遮断弁２５を開閉させるモータを防爆型モータ２６としているため、当該防爆型モータ２６を、その周囲を囲んで、危険ガス雰囲気から隔離することなく、その危険ガス雰囲気に晒された状態で、設置することができる。これにより、防爆型モータ２６を危険ガス雰囲気から保護するカバー部材等を設置する必要が無くなるため、ガスメータ１を構成する部品点数、及び、製造コストを削減することができる。
【００３０】
以上より、この発明の実施の形態１に係るガスメータ１によれば、ガス流入口２１から筐体１１内に流入させたガスの流量を計測するガスメータ１であって、ガス流入口２１と連通し、筐体１１の内部空間となるガス室１３と、ガス室１３から流入したガスの流量を計測する流量計測装置２３と、ガス流入口２１を閉鎖して、ガス流入口２１からガス室１３へのガスの流入を遮断する遮断弁２５と、ガス室１３内に配置され、遮断弁２５を開閉させる防爆型モータ２６とを備えることにより、簡素な構成で、ガスの流量を高精度に計測することができる。
【００３１】
なお、本願発明は、その発明の範囲内において、実施の形態の任意の構成要素の変形、もしくは、実施の形態の任意の構成要素の省略が可能である。
【符号の説明】
【００３２】
１    ガスメータ
１１    筐体
１１ａ  開口部
１２    蓋部材
１３    ガス室
２１    ガス流入口
２１ａ  ガス流入通路
２１ｂ  下流側開口端部
２２    ガス流出口
２３    流量計測装置
２３ａ  計測用流路
２３ｂ  上流側開口端部
２３ｃ  下流側開口端部
２３ｄ  整流板
２３ｅ  超音波センサ
２４    連通部材
２５    遮断弁
２６    防爆型モータ
【図１】
2019124653.tif 000003
【図２】
2019124653.tif 000004
【図３】
2019124653.tif 000005
【図４】
2019124653.tif 000006